(57)【要約】【課題】  堆積した雪を効率的に、除雪並びに排雪することが可能であるとともに、雪を除排雪板によって側方へ導く押し出す動作を容易に行うことができる除雪器具の提供。【解決手段】  堆積した雪を掬い取るとともに、押動することによって雪を側方又は前方へ導く除排雪板１２と、除排雪板１２に設けられた柄部１４とを有し、除排雪板１２と、柄部１４の先端部との間には、除排雪板１２に対し柄部１４を、左右方向に回動可能とする接続部材が設けられているとともに、柄部１４、除排雪板１２間の左右方向のなす角度を任意の位置に変更し得る角度可変機構２０が設けられている【選択図】    図１
0003186904.tif 000002
【実用新案登録請求の範囲】
【請求項１】
堆積した雪を掬い取るとともに、押動することによって雪を側方又は前方へ導く除排雪板と、該除排雪板に設けられた柄部とを有し、
前記除排雪板と、柄部の先端部との間には、該除排雪板に対し該柄部を左右方向に回動可能とする接続部材が設けられているとともに、該柄部、除排雪板間の左右方向のなす角度を任意の位置に変更し得る角度可変機構が設けられていることを特徴とする除雪器具。
【請求項２】
前記角度可変機構は、前記除排雪板に取り付けられた扇輪部を有し、該扇輪部には前記柄部の回動動作を案内するとともに、該柄部が該除排雪板に対し、所望の角度となるように該柄部を前記扇輪部に対して固定するロック手段が設けられていることを特徴とする請求項１に記載の除雪器具。
【請求項３】
前記柄部の先端部における回動中心は、前記角度可変機構における扇輪部の中心位置と一致するように、該柄部、扇輪部が前記除排雪板に設置されていることを特徴とする請求項１又は２に記載の除雪器具。
【請求項４】
前記除排雪板には、前記柄部の先端部が、その中央部に回動可能に連結されているとともに、該柄部の中間部が、前記角度可変機構における扇輪部と接触した状態で取付固定されていることを特徴とする請求項１〜３のうち、いずれか１項に記載の除雪器具。
【考案の詳細な説明】
【技術分野】
【０００１】
本考案は、除雪器具に係わり、降雪地域にて冬期間、路上や住宅敷地内などに堆積する雪を取り除いたり、押動させることによって掻き寄せるなどの除排雪作業を行うのに好適な除雪器具に関する。
【背景技術】
【０００２】
従来、冬期間の降雪に対処すべく、様々な除雪器具が提案されているが、堆積した雪を掻き寄せるタイプの一例として、特開２０１０−９０６８２号公報に角度可変型除雪具が開示されている。同公報記載の除雪具は、湾曲板体によって形成された除雪板を有し、その中央部に接続管を設けるとともに、当該接続管に除雪具の柄を取り付ける。
【０００３】
また、この除雪具では、接続管と柄の固定部分に回動機構部が用いられ、この回動機構部により、柄に対する除雪板の上下方向の角度を変更することができるようになっている。これによって、雪の押し込みによる掻き寄せ作業に加え、引っ張りによる掻き寄せ作業、双方の作業を行うことが可能とされ、屋根の雪庇などの除去作業にも利用できるとされている。
【０００４】
さらに、特開平１０−１８３５５０号公報記載の除雪器具は、除雪板（掬取部）、当該除雪板の後方に取り付けられた柄部等を具備し、除雪板の掬取部の縁部（掬取縁部）には除雪板の内側へ導入された雪を、一方側へ導く側方排出部が設けられている。
【０００５】
加えて、除雪板には、後方に向けて、且つやや斜め上方に傾斜させた角度の異なる二つの取付部が設けられており、これらの取付部に、柄部を選択的に取り付けることが可能となっている。これにより、除雪箇所の状況に応じ、雪の排出方向を自由に選択して除雪作業を行うことが可能であり、側方排出部から雪を効率的に除雪できるとされている。
【先行技術文献】
【特許文献】
【０００６】
【特許文献１】特開２０１０−９０６８２号公報
【特許文献２】特開平１０−１８３５５０号公報
【考案の開示】
【考案が解決しようとする課題】
【０００７】
前述の特許文献１記載の発明は、接続管と柄の固定部分に設けられた回動機構部によって除雪板に対する柄の角度を変更することが可能であり、除雪板を前進・後進をさせての除雪作業が可能であるというメリットを有する。
【０００８】
しかしながら、現実問題として、除雪作業時に除雪板を後進（引く）させて除雪作業を行うのは、雪の抵抗が生じている除雪板に引張力を加えることになるため、十分な力を作用させることが難しく、円滑な除雪作業が困難であるという課題がある。
【０００９】
また、特許文献２記載の発明は、除雪板に設けられた複数の取付部に対し、柄部を選択的に取り付けて、状況に応じた除排雪作業を可能とするが、取付部は除雪板に固定されていることから、柄部と除雪板との角度を臨機応変に変化させることができないという課題を有する。
【００１０】
本考案は前述の諸事情に対処するために提案されたものであって、堆積した雪を効率的に、除雪並びに排雪することが可能であるとともに、雪を除排雪板によって側方へ導く押し出す動作（押動動作）を容易に行うことができる除雪器具を提供することを目的とする。
【課題を解決するための手段】
【００１１】
上記目的を達成するために、請求項１記載の考案は、堆積した雪を掬い取るとともに、押動することによって雪を側方又は前方へ導く除排雪板と、該除排雪板に設けられた柄部とを有し、前記除排雪板と、柄部の先端部との間には、該除排雪板に対し該柄部を左右方向に回動可能とする接続部材が設けられているとともに、該柄部、除排雪板間の左右方向のなす角度を任意の位置に変更し得る角度可変機構が設けられていることを特徴とする。
【００１２】
請求項２記載の考案は、上記１項において、前記角度可変機構は、前記除排雪板に取り付けられた扇輪部を有し、該扇輪部には前記柄部の回動動作を案内するとともに、該柄部が該除排雪板に対し、所望の角度となるように該柄部を前記扇輪部に対して固定するロック手段が設けられていることを特徴とする。
【００１３】
請求項３記載の考案は、上記１項又は２項において、前記柄部の先端部における回動中心は、前記角度可変機構における扇輪部の中心位置と一致するように、該柄部、扇輪部が前記除排雪板に設置されていることを特徴とする。
【００１４】
請求項４記載の考案は、上記１項〜３項のうち、いずれか１項において、前記除排雪板には、前記柄部の先端部が、その中央部に回動可能に連結されているとともに、該柄部の中間部が、前記角度可変機構における扇輪部と接触した状態で取付固定されていることを特徴とする。
【考案の効果】
【００１５】
上述のように、各請求項記載の考案によれば、柄部と除排雪板との左右方向の角度を臨機応変に変化させることできるので、雪を除排雪板によって、作業者の斜め前方へ導く押動動作を行う場合に、効率的に雪を所望の箇所へ押し出つつ、掻き寄せることが可能である。
【図面の簡単な説明】
【００１６】
【図１】本考案の一実施形態に係る除雪器具の正面図である。
【図２】同じく、本考案の一実施形態に係る除雪器具の背面図である。
【図３】同じく、本考案の一実施形態に係る除雪器具の要部である角度可変機構の拡大説明図である。
【図４】同じく、本考案の一実施形態に係る除雪器具の要部である角度可変機構と柄部との関係を示す要部断面図である。
【図５】同じく、本考案の一実施形態に係る除雪器具の要部である角度可変機構における扇輪部の拡大正面図である。
【図６】同じく、本考案の一実施形態に係る除雪器具における除排雪板の角度を変更した場合を示す正面図である。
【図７】同じく、本考案の一実施形態に係る除雪器具を利用して、堆積した雪を押動させることにより、掻き寄せ作業を行う場合の作用を示す説明図である。
【考案を実施するための最良の形態】
【００１７】
以下、本考案に係る除雪器具について添付図面を参照して説明する。
【００１８】
図１は本考案の一実施形態に係る除雪器具の正面図、図２は同じく除雪器具の背面図である。図１及び図２に示されるように、本実施形態の除雪器具１０は、除排雪板１２と、柄部１４と、角度可変機構２０等とを具備して構成されている。
【００１９】
除排雪板１２は合成樹脂、若しくはアルミニウム板などを素材とし、内側に雪を保持するのに適した曲率を有して形成され、前縁部１２Ａから雪を除排雪板１２の内部へ導入して保持し得るようになっている。除排雪板１２の内部に導入された雪は、投雪或いは側方へ導いて除排雪することが可能である。
【００２０】
図２に示されるように、除排雪板１２の背面側には、その中央部に接続部材としてのブラケット１６、当該ブラケット１６を中心として両側に一対の取付片１８Ａ，１８Ｂが設けられ、ブラケット１６には柄部１４の先端部１４Ａが、左右方向に回動可能に可動軸１６Ａを介して取り付けられている。
【００２１】
また、取付片１８Ａ，１８Ｂには角度可変機構２０の要部である扇輪部２２の下端部２２Ａ，２２Ｂが固定されている。ブラケット１６、取付片１８Ａ，１８Ｂは除排雪板１２に予め一体成型することによって形成しておいても良いし、或いは、別部品として除排雪板１２に別途、後付することも可能である。扇輪部２２は半扇形のリング状に形成された半円状をなし、柄部１４の回動動作を案内しながら柄部１４の下面側と当接するようになっている。
【００２２】
扇輪部２２の両下端部２２Ａ，２２Ｂ並びに、柄部１４の先端部１４Ａのブラケット１６に対する取付位置は、図１に示されるように、正面視Ｌ１−Ｌ２線上に位置するように設置され、これによって柄部１４を除排雪板１２に対し、時計回り或いは反時計回りに抵抗なくスムーズに回動させることが可能となっている。
或いは、柄部１４の可動軸１６Ａは扇輪部２２の中心位置と一致するように、柄部１４、扇輪部２２が除排雪板１２にそれぞれ設置されている。
【００２３】
また、柄部１４は、除排雪板１２に対し、その先端部１４Ａと、扇輪部２２の下面に接触する中間部１４Ｅとによって除排雪板１２を支持するようになっているため、湿り気を多く含む重さのある雪を持ち上げて除排雪を行ったり、又は堆積した雪を押し出して掻き寄せる押動動作を行う場合に十分な強度を確保することが可能である。つまり、除排雪板１２は、合計２点によって、柄部１４に支持されていることから、使用時の強度向上はもとより、耐久性を同時に高めることができる。
【００２４】
図３は角度可変機構２０の拡大説明図、図４は角度可変機構２０と柄部１４との関係を示す要部断面図、図５は扇輪部２２の拡大正面図である。これらの図に示されるように、角度可変機構２０の扇輪部２２の表面側には、リング状の部分に沿って、断面が略門型形状のガイド部２６が設けられている。
【００２５】
ガイド部２６は、ロック手段としての固定ネジ２４に固着された抜け止めワッシャ２５との関係により、固定ネジ２４がガイド部２６から抜けないように配慮されているとともに、固定ネジ２４を扇輪部２２に沿って案内する機能がある。扇輪部２２のガイド部２６の下方部分には、等角度ずつ隔てて５箇所の固定孔２８Ａ〜２８Ｅが穿設されている。一例として、各固定孔２８Ａ〜２８Ｅは、隣接する固定孔の間で、約２２.５度の角度差が設けられている。
【００２６】
図４及び図５に示されるように、固定ネジ２４は、扇輪部２２の固定孔２８Ｃ、柄部１４の外筒１４Ｂの挿通孔から挿入され、柄部１４に穿設されたネジ孔１４Ｃの内周側に刻まれた雌ネジ部と螺合することにより、柄部１４を除排雪板１２の中央位置に固定している。
【００２７】
図６は、本実施形態に係る除雪器具１０における除排雪板１２と柄部１４との角度を変更した場合を示す正面図である。同図（ａ）に示される場合は、柄部１４は除排雪板１２に対し、垂直（９０度）の位置にある。図６（ｂ）では、固定ネジ２４を扇輪部２２の固定孔２８Ｂから挿通し、柄部１４のネジ孔１４Ｃに対して締め付け固定することにより、柄部１４の除排雪板１２に対する角度は約６８度となる。
【００２８】
一方、固定孔２８Ｄは、固定孔２８Ｂに対し、対称となる位置に扇輪部２２に穿設されていることから、除排雪板１２を逆側へ、同じ角度分だけ回動させる場合は固定孔２８Ｂを利用することになる。また、図６（ｃ）では柄部１４は除排雪板１２に対し４５度となるように、固定孔２８Ａを利用して柄部１４を扇輪部２２に固定する。
【００２９】
図７は前述した本実施形態に係る除雪器具１０を利用して、堆積した雪を押動させることにより、掻き寄せ作業を行う場合の作用を示す説明図である。
除雪器具１０を矢印Ｘ方向に雪Ｓを押動した場合は、同図（ａ）に示されるように、除排雪板１２前方のＹ１の方向へ雪Ｓは導かれる。また、除排雪板１２の角度を６８度とした場合は、斜め前方のＹ２方向へ雪Ｓは導かれる。さらに、除排雪板１２の角度を４５度すると、より斜め前方のＹ３方向へと雪Ｓを導くことができるようになる。
【００３０】
このように、本実施形態に係る除雪器具１０によれば、除排雪作業のうち、特に雪を周囲に掻き寄せる押動作業の場合に、除排雪板１２の角度を自由に設定することができるため、雪の掻き寄せ作業を効率的に行うことが可能となる。
また、除排雪板１２は、柄部１４に対し、先端部１４Ａと、扇輪部２２とによって支持されているため、雪を持ち上げる作業や投雪作業の際に、除排雪板１２の保持力が向上し、結果的に除雪器具の耐久性の向上はもとより、重量のある雪にも対応することができる。
【００３１】
なお、本実施形態では、柄部１４を扇輪部２２に対し、５箇所で固定するようにしているが、これに限らず、回動角度を連続的に可変し得るように構成することも可能である。これによれば、きめ細かく除排雪板１２の柄部１４に対する角度を調整することができる。
また、本実施形態では、扇輪部２２の形状につき、半円形のリング状としているが、柄部１４の回動動作を妨げずにスムーズに案内することができれば、その形状は、楕円形など、様々な形状とすることが可能である。
【００３２】
以上説明したように、本実施形態の除雪器具１０によれば、柄部１４に対する除排雪板１２の角度を、左右方向に自由に回動させて最適な角度で、除排雪作業を行うことが可能であり、特に、雪を掻き寄せる押動作業を能率的に行うことができる。
【産業上の利用可能性】
【００３３】
本考案によれば、雪を効率的に除雪並びに排雪することができるとともに、雪を除排雪板によって側方へ導く押し出す動作を容易に行うことが可能となり、除排雪作業に要する作業時間、作業負担の低減に寄与する。
【符号の説明】
【００３４】
１０                          除雪器具
１２                          除排雪板
１２Ａ                        前縁部
１４                          柄部
１４Ａ                        先端部
１４Ｂ                        外筒
１４Ｃ                        ネジ孔
１４Ｄ                        把持部
１４Ｅ                        中間部
１６                          ブラケット
１６Ａ                        可動軸
１８Ａ  １８Ｂ                取付片
２０                          角度可変機構
２２                          扇輪部
２２Ａ  ２２Ｂ                下端部
２４                          固定ネジ
２５                          抜け止めワッシャ
２６                          ガイド部
２８Ａ〜２８Ｅ                固定孔
【図１】
0003186904.tif 000003
【図２】
0003186904.tif 000004
【図３】
0003186904.tif 000005
【図４】
0003186904.tif 000006
【図５】
0003186904.tif 000007
【図６】
0003186904.tif 000008
【図７】
0003186904.tif 000009